(57)【要約】      （修正有）【課題】アンカーボルト設置用穴の先端部をテーパー状に拡径できるアンカー穴の先端拡径装置を提供する。【解決手段】拡径ドリル軸１の中空部１０にコイルスプリング３５を装着した軸心棒３挿入した拡径ビット軸１をドリル穿孔で形成したアンカー穴に挿入し、軸心棒３の先端部のテーパー形状の拡径部３１を穴の先端部に当たるまで押し込む。この状態で拡径ドリル軸１を回転させながら穴に押し込むと、拡径ビット４は軸心棒３の先端拡径部３１によって外側に開くので、穴の先端部にはテーパー状の拡径穴が形成される。【選択図】図３
0003182260.tif 000002
【実用新案登録請求の範囲】
【請求項１】
中空軸の先端にピンを軸として両側に拡開可能な半割とした拡径ビットが設けてある拡径ドリルと、中空軸に挿入される軸心棒とからなり、軸心棒は基軸とその先端にテーパー状の拡径部が形成されているアンカー穴の先端拡径装置。
【請求項２】
請求項１において、中空軸の中間部にはコイルスプリングの受座が設けてあり、軸心棒の下端部にはコイルスプリングの受け台が設けてあり、受座と受台の間にコイルスプリングが装着されているアンカー穴の先端拡径装置。
【考案の詳細な説明】
【技術分野】
【０００１】
本考案は、物体を構造物に固定するために設置する拡径アンカーボルトを施工するための拡径ビットに関する。
【背景技術】
【０００２】
従来、トンネルライニングの天盤に機器や吊り下げ天井を支持するための金具をアンカーボルトで固定していた。トンネルライニングの施工が完成した後にボルト穴を穿孔して接着剤やモルタルでボルトを固定するあと施工アンカーには種々の固定方式が提案されている。
【０００３】
トンネル天盤にロックボルトを打設して吹き付けコンクリートでトンネルを補強するＮＡＴＭ工法では、先端拡径のアンカーボルトが使用されており、万が一のボルトの抜け落ちを防止する落下防止金具が提案されている。
【先行技術文献】
【特許文献】
【０００４】
【特許文献１】特開２０１２−０７１５０５号公報
【特許文献２】特許第３２８４０２６号公報
【考案の開示】
【考案が解決しようとする課題】
【０００５】
打設されたアンカーボルトが年月の経過と共に劣化したり、穿孔内に充填された接着剤やモルタルの付着力が周囲からの漏水や地下水に含有される化学成分によって低下したりすることが想定される。
本考案は、拡径羽根ボルトを設置するために穿孔したアンカーボルト設置用穴の先端部をテーパー状に拡径できるようにするものである。
【課題を解決するための手段】
【０００６】
中空軸の先端にピンを軸として両側に拡開可能な半割とした拡径ビットが設けてある拡径ドリルと、中空軸に挿入される軸心棒とからなり、軸心棒は基軸とその先端にテーパー状の拡径部が形成されているアンカー穴の先端拡径装置である。
また、中空軸の中間部にはコイルスプリングの受座が設けてあり、軸心棒の下端部にはコイルスプリングの受台が設けてあり、受座と受台の間にコイルスプリングが装着されているアンカー穴の拡径装置である。
【考案の効果】
【０００７】
ドリルで形成した穴に本考案の先端拡径装置を挿入して回転しながら中空軸を押すことにより、軸心棒の先端テーパーによって、拡径ビットが外側に拡がるので、穴の先端部をテーパー状に拡径することができる。このテーパー状の拡径部に拡径羽根ボルトを挿入して羽根を広げることにより、アンカーボルトをアンカー穴内に固定している接着剤等の充填材が経年劣化によって付着力を失っても、拡径状態の拡径羽根がテーパー状穴の細径部に機械的に引っ掛かり、穴から抜け落ちることがなく、アンカーボルトによって固定されていた機器や装置、または構造物が落下することを防止できる。
【図面の簡単な説明】
【０００８】
【図１】本考案の拡径ビットの縦断面図。
【図２】拡径ビットの中空部に挿入する軸心棒の正面図。
【図３】拡径ビットに軸心棒を挿入した状態の断面図。
【図４】拡径の説明図。
【考案を実施するための形態】
【０００９】
図１（１）に示すように、拡径ドリル軸１は、肉厚の中空軸１０の基部側に駆動軸への取付用のネジ２が設けてあり、このネジ２にドリル駆動軸（図示しない）が連結されて回転して穴を拡径するもので、先端の拡径ビット４が中空部１１に挿入する軸心棒３によって外側に開き、テーパー状の拡径穴を形成する。 
中空部１１の中間部には受座１２が内側に突出して設けてあり、図３に示すように、中空部１１に軸心棒３を挿入した際、軸心棒３の基軸３０を包囲するコイルスプリング３５の上端が受座１２に当たり、コイルスプリング３５の弾発力によって中空軸１０に下向きの力を与える。
【００１０】
拡径ドリル軸１の先端には、図１（２）に示されるように、半割にした断面半円形の基部４０の外面にダイヤモンドチップ４１が取り付けてある拡径ビット４が中空軸１０の先端にピン４２によって取り付けてあり、拡径ビット４はピン４２を軸にして外側に拡がることができる。
中空軸１０の先端部に突出する取付座１５、１６が間隔をあけて設けてあり、ピン４２を軸にして外方に開いて拡径するようにしてある。
【００１１】
図２に示すものは、拡径ドリル軸１の中空部に挿入する軸心棒３である。基軸３０の先端部に先広がりのテーパー形状の拡径部３１が形成してあり、その先端部は先鋭に尖らせてあり、図示の例では円錐形としてあり、アンカー穴の先端部の凹凸に対応して拡径ドリル軸１を所定の方向を向くようにガイドすると共に、拡径ドリル軸の回転を安定させる。
基軸３０の下端部には、コイルスプリング３５の下端を受ける受台３２が着脱自在に設けてある。具体的には、溝が基軸３０の全周に形成してあり、この溝にスナップリングが装着されて着脱可能な受台３２となる。
【００１２】
この拡径ドリル軸１の中空軸１０の中空部１１にコイルスプリング３５を装着した軸心棒３を挿入して組立てた状態を図３に示す。
ビット４は、ピン４２を軸として外側に開いて拡がるので、拡径ビット４によって形成される穴は、先端側に向かって拡がるテーパー状に拡径された穴となる。
【００１３】
図４は、本考案の拡径ビットの拡径過程を説明するものであり、トンネル天盤などにアンカーボルトを上向きに設置する場合である。
拡径ドリル軸１の中空部１１にコイルスプリング３５を装着した軸心棒３を挿入した拡径ビット１を、天端にドリル穿孔で形成した穴に挿入する。
軸心棒３の先端部のテーパー形状の拡径部３１は、中空部１１の内径より直径が大きなものであるので、軸心棒３の先端は中空軸より突出しており、軸心棒３の先端の先鋭部が穴の端部に当たる。この状態で拡径ドリル軸１の中空軸を回転させながら穴に押し込むと、拡径ビット４は軸心棒３の先端拡径部３１によって図４（２）に示すように外側に開くので、穴の先端部にはテーパー状の拡径穴が形成される。
拡径ドリル軸１の穴内に押し込み力が解除されると、中空軸１０はコイルスプリング３５の弾発力によって穴から抜き出しやすくなる。
【符号の説明】
【００１４】
１    拡径ドリル軸
１０  中空軸
１１  中空部
１２  受座
２    ネジ
３    軸心棒
３０  基軸
３５  コイルスプリング
３２  受台  
４    拡径ビット
４０  基部
４１  ダイヤモンドチップ
４２  ピン
【図１】
0003182260.tif 000003
【図２】
0003182260.tif 000004
【図３】
0003182260.tif 000005
【図４】
0003182260.tif 000006